(57)【要約】【解決手段】本発明は、運搬用容器の側壁２、３に配設されたカード差し部材Ｃのカード押さえ条片Ｃ’に、ＩＤタグＴが配設可能なＩＤタグ取付部材Ｈ１、Ｈ２を取り付けるように構成したものである。【効果】運搬用容器の側壁に配設されたカード差し部材のカード押さえ条片に、ＩＤタグ取付部材を取り付けるように構成したので、ＩＤタグと運搬用容器の側壁との間に、所定の間隙が形成されることになり、従って、ＩＤタグが、側壁に、密着状に配設された従来の運搬用容器のように、ＩＤタグのデータ通信効率が低下したり、情報の読み取りや書き込みにミスが発生するというようなことを防止することができる。【選択図】図７
2010001051.tif 000002
【特許請求の範囲】
【請求項１】
運搬用容器の側壁に配設されたカード差し部材のカード押さえ条片に、ＩＤタグ取付部材が取り付けられるように構成されていることを特徴とする運搬用容器。
【請求項２】
ＩＤタグ取付部材に、カード差し部材のカード押さえ条片が取り付け可能な上部保持部材及び下部保持部材が形成されていることを特徴とする請求項１に記載の運搬用容器。
【請求項３】
ＩＤタグが、ＩＤタグ取付部材に形成された上部係止突片と下部係止突片と弾性押圧片の屈曲部との間に挟持されるように構成されていることを特徴とする請求項１又は請求項２に記載の運搬用容器。
【発明の詳細な説明】
【技術分野】
【０００１】
本発明は、容器の識別、容器に収納されている物品の行き先、物品名、種類、数量等の種々の情報が蓄積されたＩＤタグが取り付けられる運搬用容器に関するものである。
【背景技術】
【０００２】
従来、ＩＤタグを、運搬用容器の側面に取り付けた運搬用容器が、一例として、特許文献１に開示されている。
【０００３】
【特許文献１】実開平５−９４１３３号公報
【発明の開示】
【発明が解決しようとする課題】
【０００４】
上述した従来の運搬用容器においては、ＩＤタグが側壁に密着状態で取り付けられているために、ＩＤタグのデータ通信効率が低下し、情報の読み取りや書き込みにミスが発生するという問題があった。
【０００５】
また、ＩＤタグを取り付けるために、運搬用容器の側壁等に変更を加えたり、特別な加工を施す必要があるために、運搬用容器の製造コストが上昇するという問題があった。
【０００６】
本発明の目的は、上述した従来の運搬用容器が有する課題を解決することにある。
【課題を解決するための手段】
【０００７】
本発明は、上述した目的を達成するために、第１には、運搬用容器の側壁に配設されたカード差し部材のカード押さえ条片に、ＩＤタグ取付部材を取り付けるように構成したものであり、第２には、ＩＤタグ取付部材に、カード差し部材のカード押さえ条片が取り付け可能な上部保持部材及び下部保持部材を形成したものであり、第３には、ＩＤタグが、ＩＤタグ取付部材に形成された上部係止突片と下部係止突片と弾性押圧片の屈曲部との間に挟持されるように構成したものである。
【発明の効果】
【０００８】
運搬用容器の側壁に配設されたカード差し部材のカード押さえ条片に、ＩＤタグ取付部材を取り付けるように構成したので、ＩＤタグと運搬用容器の側壁との間に、所定の間隙が形成されることになり、従って、ＩＤタグが、側壁に、密着状に配設された従来の運搬用容器のように、ＩＤタグのデータ通信効率が低下したり、情報の読み取りや書き込みにミスが発生するというようなことを防止することができる。
【０００９】
また、運搬用容器の側壁に配設されたカード差し部材のカード押さえ条片に、ＩＤタグ取付部材を取り付けるように構成したので、ＩＤタグを取り付けるために、運搬用容器に変更を加えたり、特別な加工を施す必要がなく、従って、運搬用容器の製造コストの上昇を防止することができる。
【００１０】
更に、運搬用容器の側壁に配設されたカード差し部材のカード押さえ条片に、ＩＤタグ取付部材を取り付けるように構成したので、運搬用容器や運搬用容器に収納される物品に関する情報量を増加することができる。
【００１１】
ＩＤタグ取付部材に、カード差し部材のカード押さえ条片が取り付け可能な上部保持部材及び下部保持部材を形成したので、ＩＤタグを、ＩＤタグ取付部材に、安定した状態で配設することができ、従って、情報の読み取りや書き込みにミスが発生するようなことを防止することができる。
【００１２】
ＩＤタグが、ＩＤタグ取付部材に形成された上部係止突片と下部係止突片と弾性押圧片の屈曲部との間に挟持されるように構成したので、ＩＤタグを、ＩＤタグ取付部材に、安定した状態で配設することができ、従って、情報の読み取りや書き込みにミスが発生するようなことを、確実に防止することができる。
【実施例】
【００１３】
運搬用容器としては、底部にヒンジ連結された側壁を、底部に重なるように倒すことにより、高さの低いコンパクトな状態に折り畳むことが可能な折り畳みタイプの運搬用容器や、底部に、側壁が一体的に取り付けられ、側壁を、底部に重なるように倒すことができない、所謂、ボックスタイプの運搬用容器等の種々の運搬用容器が含まれる。
【００１４】
先ず最初に、図１〜図４を用いて、運搬用容器の一例としての折り畳みタイプの運搬用容器の全体構成について説明する。
【００１５】
１は、平面形状が長方形状の底部であり、底部１の相対する長辺部１ａには、適当なヒンジ部を介して長側壁２が連結されており、また、底部１の相対する短辺部１ｂには、同じく適当なヒンジ部を介して短側壁３が連結されている。
【００１６】
図１に示されているように、箱型に組み立てられた状態の運搬用容器を折り畳むには、先ず最初に、短側壁３を運搬用容器の内側に倒して、図２に示されているように、底部１の上に重ねる。次いで、同じく、長側壁２を運搬用容器の内側に倒して、図３に示されているように、底部１及び短側壁３の上に重ね、箱型に組み立てられた状態の運搬用容器を、高さの低いコンパクトな状態に折り畳む。また、逆に、図３に示されている折り畳まれた状態から、図１に示されているように、箱型に組み立てるには、底部１及び短側壁３の上に重ねられた状態の長側壁２を垂直に立て、次いで、短側壁３を垂直に立てることにより、折り畳みコンテナーを箱型に組み立てる。
【００１７】
Ｃは、一例として、長側壁２に取り付けられたカード差し部材であり、カード差し部材Ｃには、複数のカード押さえ条片Ｃ’が形成されている。なお、本実施例には、２個のカード押さえ条片Ｃ’が形成されている例が示されている。
【００１８】
カード押さえ条片Ｃ’は、長側壁２の下端水平リブ２ａの先端部付近から上方に延在している略垂直状の基部ｃ１と、基部ｃ１に連接されているとともに、長側壁２の外壁面２ｂ方向に傾斜した中間部ｃ２と、中間部ｃ２の先端から、長側壁２の外壁面２ｂから離反する方向に傾斜したカード案内部ｃ３とから形成されており、中間部ｃ２とカード案内部ｃ３との境界線に位置する屈曲部ｃ４が、長側壁２の外壁面２ｂに、弾性的に押圧されるように構成されている。このように構成することにより、屈曲部ｃ４より上方に位置するカード案内部ｃ３と長側壁２の外壁面２ｂとの間には、カード案内部ｃ３と長側壁２の外壁面２ｂとの間隔が、下方に行くに従って、徐々に狭くなる、楔状空間Ａ１が形成されることになる。
【００１９】
カード差し部材ＣへのカードＫの保持作業の際には、先ず最初に、カードＫの下端辺を、上述した楔状空間Ａ１に挿入し、次いで、更に、カードＫを押し下げることにより、図４に示されているように、カードＫが、カード押さえ条片Ｃ’の屈曲部ｃ４により、長側壁２の外壁面２ｂに圧接されるように構成されている。
【００２０】
次に、図５及び図６を用いて、カード差し部材Ｃを構成するカード押さえ条片Ｃ’に取り付け可能なＩＤタグ取付部材Ｈ１について説明する。
【００２１】
ｈ１は、額縁状の枠部材であり、枠部材ｈ１は、上部水平部ｈ１ａと、該上部水平部ｈ１ａと相対する下部水平部ｈ１ｂと、上部水平部ｈ１ａと下部水平部ｈ１ｂの両端部を連結する相対する端部垂直部ｈ１ｃとから構成されている。
【００２２】
ｈ２は、上部水平部ｈ１ａの一方の垂直面（カード差し部材Ｃに、ＩＤタグ取付部材Ｈ１を取り付けた際には、長側壁２の外壁面２ｂに接近して位置する垂直面であり、以下、内側垂直面という。）ｈ１ａ’の両端部付近と、下部水平部ｈ１ｂの一方の垂直面（カード差し部材Ｃに、ＩＤタグ取付部材Ｈ１を取り付けた際には、長側壁２の外壁面２ｂに接近して位置する垂直面であり、以下、内側垂直面という。）ｈ１ｂ’の両端部付近とを連結する一対の内側端部寄り連結垂直リブである。
【００２３】
ｈ３は、上部水平部ｈ１ａの内側垂直面ｈ１ａ’の中央部付近と、下部水平部ｈ１ｂの内側垂直面ｈ１ｂ’の中央部付近とを連結する一対の内側中央寄り連結垂直リブである。
【００２４】
ｈ４は、上部水平部ｈ１ａのもう一方の垂直面（カード差し部材Ｃに、ＩＤタグ取付部材Ｈ１を取り付けた際には、長側壁２の外壁面２ｂから離れて位置する垂直面であり、以下、外側垂直面という。）ｈ１ａ”の中央部と、下部水平部ｈ１ｂのもう一方の垂直面（カード差し部材Ｃに、ＩＤタグ取付部材Ｈ１を取り付けた際には、長側壁２の外壁面２ｂから離れて位置する垂直面であり、以下、外側垂直面という。）ｈ１ｂ”の中央部とを連結する外側中央部連結垂直リブである。
【００２５】
ｈ５は、所定の間隔をおいて配置された一対の内側端部寄り連結垂直リブｈ２の相対する垂直面の略中央部に形成された弾性押圧片であり、一方の内側端部寄り連結垂直リブｈ２に形成された弾性押圧片ｈ５ともう一方の内側端部寄り連結垂直リブｈ２に形成された弾性押圧片ｈ５とは、互いに接近する方向に延在しているとともに、弾性押圧片ｈ５の先端部は、枠部材ｈ１を構成する上部水平部ｈ１ａの外側垂直面ｈ１ａ”及び下部水平部ｈ１ｂの外側垂直面ｈ１ｂ”に向かって延在している。より具体的には、弾性押圧片ｈ５は、平面形状が、への字状に形成されており、その屈曲部ｈ５ａが、枠部材ｈ１を構成する上部水平部ｈ１ａの外側垂直面ｈ１ａ”及び下部水平部ｈ１ｂの外側垂直面ｈ１ｂ”に接近して位置するように構成されている。
【００２６】
Ｈ１’は、枠部材ｈ１を構成する上部水平部ｈ１ａの内側垂直面ｈ１ａ’の両端部付近形成された、ＩＤタグ取付部材Ｈ１を、長側壁２に配設されたカード差し部材Ｃのカード押さえ条片Ｃ’に取り付けるための一対の上部保持部材であり、上部保持部材Ｈ１’には、カード押さえ条片Ｃ’が挿入可能なカード押さえ条片用挿入孔ｈ６が穿設されている。
【００２７】
同様に、Ｈ１”は、枠部材ｈ１を構成する下部水平部ｈ１ｂの内側垂直面ｈ１ｂ’の両端部付近形成された、ＩＤタグ取付部材Ｈ１を、長側壁２に配設されたカード差し部材Ｃのカード押さえ条片Ｃ’に取り付けるための一対の下部保持部材であり、下部保持部材Ｈ１”には、カード押さえ条片Ｃ’が挿入可能なカード押さえ条片用挿入孔ｈ７が穿設されている。
【００２８】
枠部材ｈ１を構成する相対する端部垂直部ｈ１ｃのうち、一方の端部垂直部ｈ１ｃには、ＩＤタグが挿入される縦長のＩＤタグ挿入スリットｈ１ｃ’が形成されている。
【００２９】
また、枠部材ｈ１を構成する上部水平部ｈ１ａの外側垂直面ｈ１ａ”の所定の箇所には、下方に延在する上部係止突片ｈ８が垂設されており、また、枠部材ｈ１を構成する下部水平部ｈ１ｂの外側垂直面ｈ１ｂ”の所定の箇所には、上方に延在する下部係止突片ｈ９が立設されている。
【００３０】
ＩＤタグ取付部材Ｈ１を、長側壁２に配設されたカード差し部材Ｃのカード押さえ条片Ｃ’に取り付けるには、先ず最初に、ＩＤタグ取付部材Ｈ１に形成された下部保持部材Ｈ１”のカード押さえ条片用挿入孔ｈ７に、カード押さえ条片Ｃ’の上端部を挿入し、次いで、ＩＤタグ取付部材Ｈ１を下降させて、ＩＤタグ取付部材Ｈ１に形成された上部保持部材Ｈ１’のカード押さえ条片用挿入孔ｈ６に、カード押さえ条片Ｃ’の上端部を挿入することにより、図７に示されているように、ＩＤタグ取付部材Ｈ１を、長側壁２に配設されたカード差し部材Ｃのカード押さえ条片Ｃ’に取り付ける。
【００３１】
板状のＩＤタグＴを、ＩＤタグ取付部材Ｈ１に収容するには、枠部材ｈ１を構成する相対する端部垂直部ｈ１ｃのうち、一方の端部垂直部ｈ１ｃに穿設されたＩＤタグ挿入スリットｈ１ｃ’に、ＩＤタグＴの相対する垂直端の一方の垂直端ｔ１をに挿入するとともに、ＩＤタグＴの上端部が、枠部材ｈ１を構成する上部水平部ｈ１ａに形成された上部係止突片ｈ８に沿うように、また、ＩＤタグＴの下端部が、枠部材ｈ１を構成する下部水平部ｈ１ｂに形成された下部係止突片ｈ９に沿うように、ＩＤタグＴを前進させ、最終的には、図８や図９に示されているように、ＩＤタグＴの前面Ｔ’が、ＩＤタグ取付部材Ｈ１の枠部材ｈ１に形成された上部係止突片ｈ８及び下部係止突片ｈ９に当接されるとともに、ＩＤタグＴの裏面Ｔ”が、ＩＤタグ取付部材Ｈ１に形成された弾性押圧片ｈ５の屈曲部ｈ５ａに当接し、ＩＤタグＴが、ＩＤタグ取付部材Ｈ１の枠部材ｈ１に形成された上部係止突片ｈ８と下部係止突片ｈ９と弾性押圧片ｈ５の屈曲部ｈ５ａとの間に挟持されるように構成されている。
【００３２】
上述したようにして、図９や図１０に示されているように、ＩＤタグＴが収容されたＩＤタグ取付部材Ｈ１が、長側壁２に配設されたカード差し部材Ｃのカード押さえ条片Ｃ’に取り付けられているので、ＩＤタグＴと運搬用容器の長側壁２の外壁面２ｂとの間には、所定の間隙が形成されることになり、従って、ＩＤタグが、側壁に、密着状に配設された従来の運搬用容器のように、ＩＤタグのデータ通信効率が低下したり、情報の読み取りや書き込みにミスが発生するというようなことを防止することができる。
【００３３】
ＩＤタグＴが収容されたＩＤタグ取付部材Ｈ１が、長側壁２に配設されたカード差し部材Ｃのカード押さえ条片Ｃ’に取り付けられており、また、カード差し部材Ｃには、種々の情報が記載されたカードＫや種々の情報が蓄積されたバーコードを取り付けることができるので、運搬用容器に、ＩＤタグＴ及びカードＫの両方を配設することができ、従って、運搬用容器に、変更を加えることなく、運搬用容器や運搬用容器に収容される物品に関する情報量を、増大することができる。
【００３４】
図１１及び図１２には、本発明の別の実施例のＩＤタグ取付部材Ｈ２が示されている。
【００３５】
この実施例においては、上述した実施例におけるＩＤタグ取付部材Ｈ１を構成する上部保持部材Ｈ１’に代えて、枠部材ｈ１を構成する上部水平部ｈ１ａの内側垂直面ｈ１ａ’に略垂直に延在する垂直部ｈ１０’と、垂直部ｈ１０’の先端から、ＩＤタグ取付部材Ｈ１の中央部方向に延在する水平部ｈ１１’とから構成された、平面形状が、略Ｌ字状の上部保持部材Ｈ２’が形成されている。
【００３６】
また、この実施例においては、上述した実施例におけるＩＤタグ取付部材Ｈ１を構成する下部保持部材Ｈ１”に代えて、枠部材ｈ１を構成する下部水平部ｈ１ｂの内側垂直面ｈ１ｂ’に略垂直に延在する垂直部ｈ１０”と、垂直部ｈ１０”の先端から、ＩＤタグ取付部材Ｈ１の中央部方向に延在する水平部ｈ１１”とから構成された、平面形状が、略Ｌ字状の下部保持部材Ｈ２”が形成されている。  
【００３７】
上部保持部材Ｈ２’の垂直部ｈ１０’と上部保持部材Ｈ２’の水平部ｈ１１’と枠部材ｈ１を構成する上部水平部ｈ１ａとにより形成される間隙Ａ２と、下部保持部材Ｈ２”の垂直部ｈ１０”と下部保持部材Ｈ２”の水平部ｈ１１”と枠部材ｈ１を構成する下部水平部ｈ１ｂとにより形成される下部間隙Ａ３とに、図１３に示されているように、カード押さえ条片Ｃ’を挿着することにより、ＩＤタグ取付部材Ｈ１を、長側壁２に配設されたカード差し部材Ｃのカード押さえ条片Ｃ’に取り付けることができるように構成されている。
【００３８】
なお、枠部材ｈ１を構成する上部水平部ｈ１ａの内側垂直面ｈ１ａ’に形成された一対の上部保持部材Ｈ２’のうち、一方の上部保持部材Ｈ２’を構成する水平部ｈ１１’の長さを、もう一方の上部保持部材Ｈ２’を構成する水平部ｈ１１’の長さより短く形成するとともに、枠部材ｈ１を構成する下部水平部ｈ１ｂの内側垂直面ｈ１ｂ’に形成された一対の下部保持部材Ｈ２”のうち、一方の下部保持部材Ｈ２”を構成する水平部ｈ１１”の長さを、もう一方の下部保持部材Ｈ２”を構成する水平部ｈ１１’の長さより短く形成することができる。
【００３９】
長い水平部ｈ１１’を有するもう一方の上部保持部材Ｈ２’に形成された上部間隙Ａ２及び長い水平部ｈ１１”を有するもう一方の下部保持部材Ｈ２”に形成された上部間隙Ａ３に、側方から、一対のカード押さえ条片Ｃ’のうち、一方のカード押さえ条片Ｃ’を挿入し、次いで、もう一方のカード押さえ条片Ｃ’を、一方のカード押さえ条片Ｃ’方向に、強制的に傾斜させて、もう一方のカード押さえ条片Ｃ’を、短い水平部ｈ１１’を有するもう一方の上部保持部材Ｈ２’に形成された上部間隙Ａ２の側部解放部及び短い水平部ｈ１１”を有するもう一方の下部保持部材Ｈ２”に形成された下部間隙Ａ３の側部開放部に位置させ、その後、もう一方のカード押さえ条片Ｃ’を元の略垂直位置に戻すことにより、もう一方のカード押さえ条片Ｃ’が、短い水平部ｈ１１’を有するもう一方の上部保持部材Ｈ２’に形成された上部間隙Ａ２及び短い水平部ｈ１１”を有するもう一方の下部保持部材Ｈ２”に形成された下部間隙Ａ３に挿入されるように構成されている。
【００４０】
平面形状が、略Ｌ字状の上部保持部材Ｈ２’を構成する水平部ｈ１１’に負荷が加わった際には、水平部ｈ１１’と垂直部ｈ１０’との連接角部が損傷することがあるので、図１４に示されているように、水平部ｈ１１’と垂直部ｈ１０’との連接角部に、補強リブｈ１２を形成することが好ましい。このような補強リブｈ１２を形成することにより、上部保持部材Ｈ２’の損傷を防止することができる。
【００４１】
同様に、平面形状が、略Ｌ字状の下部保持部材Ｈ２”を構成する水平部ｈ１１”に負荷が加わった際には、水平部ｈ１１”と垂直部ｈ１０”との連接角部が損傷することがあるので、図１４に示されているように、水平部ｈ１１”と垂直部ｈ１０”との連接角部に、補強リブｈ１３を形成することが好ましい。このような補強リブｈ１３を形成することにより、上部保持部材Ｈ２”の損傷を防止することができる。
【００４２】
上述したように、従来の運搬用容器に配設されているカード差し部材Ｃのカード押さえ条片Ｃ’に、上述したような構成を有するＩＤタグ取付部材Ｈ１、Ｈ２が取り付けられるように構成されているので、ＩＤタグＴと運搬用容器の長側壁２の外壁面２ｂとの間に、所定の間隙が形成されることになり、従って、ＩＤタグが、側壁に、密着状に配設された従来の運搬用容器のように、ＩＤタグのデータ通信効率が低下したり、情報の読み取りや書き込みにミスが発生するというようなことを防止することができる。
【００４３】
また、従来の運搬用容器に配設されているカード差し部材Ｃに、ＩＤタグ取付部材Ｈ１、Ｈ２が取り付けられるように構成されているので、ＩＤタグを取り付けるために、運搬用容器に変更を加えたり、特別な加工を施す必要がなく、従って、運搬用容器の製造コストの上昇を防止することができる。
【００４４】
更に、ＩＤタグ取付部材Ｈ１、Ｈ２が取り付けられたカード差し部材Ｃに、更に、カードＫを挿着することができるので、運搬用容器や運搬用容器に収納される物品に関する情報量を増加することができる。
【００４５】
更にまた、カード差し部材Ｃに取り付けられたＩＤタグ取付部材Ｈ１、Ｈ２は、ＩＤタグ取付部材Ｈ１、Ｈ２を、上動させることにより、カード差し部材Ｃのカード押さえ条片Ｃ’から引き抜くことができるので、ＩＤタグ取付部材Ｈ１、Ｈ２を必要とする運搬用容器のみに、必要に応じて、ＩＤタグ取付部材Ｈ１、Ｈ２を取り付けることができ、従って、従来の運搬用容器の使用用途の多様性を向上することができる。
【図面の簡単な説明】
【００４６】
【図１】図１は、本発明を構成する運搬用容器が組み立てられた状態の斜視図である。
【図２】図２は、本発明を構成する運搬用容器の組み立て或いは折り畳み途中の斜視図である。
【図３】図３は、本発明を構成する運搬用容器が折り畳まれた状態の斜視図である。
【図４】図４は、図１に示されている運搬用容器の部分拡大斜視図である。
【図５】図５は、本発明を構成する運搬用容器に取り付けられるＩＤタグ取付部材の正面側斜視図である。
【図６】図６は、本発明を構成する運搬用容器に取り付けられるＩＤタグ取付部材の裏面側斜視図である。
【図７】図７は、本発明を構成する運搬用容器に、ＩＤタグ取付部材が取り付けられた状態の部分拡大斜視図である。
【図８】図８は、本発明を構成する運搬用容器に取り付けられたＩＤタグ取付部材に、ＩＤタグが配設された状態の水平断面図である。
【図９】図９は、本発明を構成する運搬用容器に、ＩＤタグが配設されたＩＤタグ取付部材が取り付けられた状態の部分拡大斜視図である。
【図１０】図１０は、本発明を構成する運搬用容器が箱型に組み立てられた状態の斜視図である。
【図１１】図１１は、本発明を構成する運搬用容器に取り付けられる別の実施例のＩＤタグ取付部材の正面側斜視図である。
【図１２】図１２は、本発明を構成する運搬用容器に取り付けられる別の実施例のＩＤタグ取付部材の裏面側斜視図である。
【図１３】図１３は、本発明を構成する運搬用容器に、別の実施例のＩＤタグ取付部材が取り付けられた状態の部分拡大斜視図である。
【図１４】図１４は、本発明を構成する運搬用容器に取り付けられる更に別の実施例のＩＤタグ取付部材の斜視図である。
【符号の説明】
【００４７】
Ｃ・・・・・・・・・カード差し部材
Ｃ’・・・・・・・・カード押さえ条片
Ｈ１、Ｈ２・・・・・ＩＤタグ取付部材
Ｋ・・・・・・・・・カード
１・・・・・・・・・底部
２・・・・・・・・・長側壁
３・・・・・・・・・短側壁
【図１】
2010001051.tif 000003
【図２】
2010001051.tif 000004
【図３】
2010001051.tif 000005
【図４】
2010001051.tif 000006
【図５】
2010001051.tif 000007
【図６】
2010001051.tif 000008
【図７】
2010001051.tif 000009
【図８】
2010001051.tif 000010
【図９】
2010001051.tif 000011
【図１０】
2010001051.tif 000012
【図１１】
2010001051.tif 000013
【図１２】
2010001051.tif 000014
【図１３】
2010001051.tif 000015
【図１４】
2010001051.tif 000016